Podtech/llm-jp-corpus-v4-ja_patent huggingface dataset:
(57)【要約】【課題】  車輪及びレールに長時間塗布した状態を保持することができ、車輪とレールの汚れ防止及び汚れの除去、スパークの発生を抑制して、長時間の走行安定性を確保することができる、小型の列車玩具に適した潤滑剤を提供する。【解決手段】  潤滑剤は、潤滑液と、アルミニウム粉末とからなり、潤滑液とアルミニウム粉末を混合してペースト状に形成した。【選択図】なし【特許請求の範囲】
【請求項１】
潤滑液と、
アルミニウム粉末とからなり、
潤滑液とアルミニウム粉末を混合してペースト状に形成したことを特徴とする潤滑剤。
【発明の詳細な説明】
【技術分野】
【０００１】
本発明は、列車玩具の車輪、レール等に塗布する潤滑剤に関する。
【背景技術】
【０００２】
従来の列車玩具、特にＮゲージと呼ばれる小型の列車玩具は、レールに流れる電気を車輪から玩具本体内に取り込んで駆動モータを駆動し、車輪を回転させて走行を行う。従って、従来の列車玩具は、車輪とレールが汚れたり、車輪とレールに埃等のゴミが付着すると、電気が流れなくなり、走行を停止する場合がある。特に、車輪とレールは、通電状態にあるので、車輪がレールから離れるとスパークを起こす可能性がある。スパークが発生すると、埃等を燃やし、その煤が車輪とレールに付着するので、通電不良を引き起こし、走行状態が非常に不安定なものになる。従って、車輪とレールを１〜２時間毎に頻繁に掃除しなければ、走行安定性は確保することができない。上記した車輪及びレールの汚れ防止及び汚れの除去、スパーク発生の抑制、走行安定性の確保のため、車輪及びレールに塗布する潤滑液が存在する。
【発明の開示】
【発明が解決しようとする課題】
【０００３】
上記した従来の潤滑液は、列車玩具の走行中、撒き散らしたり、流れ落ちたりして、その塗布状態を長時間維持することができず、頻繁に塗布しなければならないという問題点があった。
【０００４】
本願発明は、上記問題点に鑑み案出したものであって、車輪及びレールに長時間塗布した状態を保持することができ、車輪とレールの汚れ防止及び汚れの除去、スパークの発生を抑制して、長時間の走行安定性を確保することができる、小型の列車玩具に適した潤滑剤を提供することを目的とする。
【課題を解決するための手段】
【０００５】
本願請求項１記載の潤滑剤は、上記目的を達成するため、潤滑液と、アルミニウム粉末とからなり、潤滑液とアルミニウム粉末を混合してペースト状に形成したことを特徴とする。
【発明の効果】
【０００６】
本願発明に係る潤滑剤は、小型の列車玩具に適しており、車輪及びレールに長時間塗布した状態を保持することができ、車輪とレールの汚れ防止及び汚れの除去、スパークの発生を抑制して、小型の列車玩具の長時間の走行安定性を確保することができるという効果がある。
【発明を実施するための最良の形態】
【０００７】
以下、潤滑剤について説明をする。当該潤滑剤は、潤滑液と、アルミニウム粉末とからなり、潤滑液とアルミニウム粉末を混合してペースト状に形成している。
潤滑液は、２−メチルブタン、ペンタン、２，３−ビス（１−メチルエチル）−トランスオキシラン、２−エチル−３−プロピル−トランス−オキシラン、（Ｓ）−（＋）−３−プロモ−２−メチル−１−ブロバノール、２，３−ジメチルブタン、２−ユチルブチルアルデヒド、トリメチルオキシラン、２−メチルペンタン、シクロペンタン、ヘキサン、シクロヘキサン、トルエン、２−メチルデカン、３−メチルデカン、ウンデカン、ドデカン、２，３，８−トリメチルデカン、４−メチルオクタン、２，３−ジメチルデカン、テトラデシルオキシラン、３−メチルウンデカン、等の成分により構成されている。
アルミニウム粉末は、潤滑液と略同量で混合される。潤滑剤は、前記潤滑液と略同量のアルミニウム微粉末を混合後、攪拌することによりペースト状に形成される。
【０００８】
上記潤滑剤は、アルミニウム粉末が潤滑液より多すぎる場合には、粘性が高くなり、塗布し難くなる。この粘性の高い潤滑剤は、車輪及びレールに塗布した場合、走行抵抗が大きくなり、Ｎゲージ等の小型の列車玩具にあっては走行に障害が発生する。また、潤滑剤は、アルミニウム粉末が潤滑液より少なすぎる場合には、粘性が低いため、長時間塗布状態を維持することが難しい。上記潤滑剤は、潤滑液と略同じ重さのアルミニウム微粉末によって形成されており、塗布がし易く、塗布状態が約３０時間連続という長時間保持することができる程度の粘性を有し、その間クリーニングが不要となり、車輪とレールの汚れ防止及び汚れの除去を行うことができ、スパーク発生を抑制して、小型列車玩具の長時間の走行安定性を確保することができる。
【産業上の利用可能性】
【０００９】
本願発明は、小型列車玩具の車輪及びレールに塗布する潤滑剤として利用可能である。
(57)【要約】【課題】  固形石鹸に付着した水分、及び溶け崩れたゲル状の石鹸溶液の乾燥を早め、固形石鹸の消耗を減らし、ゲル状の石鹸溶液内の細菌の増殖を抑制し皮膚の傷害を招く恐れを抑制すると共に、下水道への流出を抑制し洗剤による水質汚染を減少させる。【解決手段】  台座部と受け皿部を有し、台座と受け皿の間を隔離する支柱を設け、受け皿の上面に受け皿の略中央に向かい上方から下方に傾斜して集合した複数の溝を設け、この集合部分に集合部分より更に下方に受け皿の外縁に向かい傾斜した第２の溝を設けたことを特徴とする。【選択図】図１
2010106224.tif 000002
【特許請求の範囲】
【請求項１】
台座部と受け皿部を有し、台座と受け皿の間を隔離する支柱を設け、受け皿の上面に受け皿の略中央に向かい上方から下方に傾斜して集合した複数の溝を設け、この集合部分に集合部分より更に下方に受け皿の外縁に向かい傾斜した第２の溝を設けた固形石鹸保管具。
【請求項２】
台座の上面に窪みを設けた請求項１の固形石鹸保管具。
【発明の詳細な説明】
【技術分野】
【０００１】  この発明は、固形石鹸の保管具に関するものである。
【背景技術】
【０００２】  従来の固形石鹸の保管具は、石鹸箱に代表される如く箱状のものが多く、固形石鹸を使用した後の水切りをよくするため、箱の底面に排水用の孔と水分と固形石鹸を隔離するための凹凸を設けたものが多かった。
【発明の開示】
【発明が解決しようとする課題】
【０００３】  これ等は、固形石鹸に付着した水分、及び溶け崩れたゲル状の石鹸溶液の乾燥に時間が掛かり乾燥が不十分な状態で再使用される機会が多く、固形石鹸の消耗を早め、また、ゲル状の石鹸溶液は、細菌の増殖を招き皮膚の傷害を招く恐れがあると共に、下水道に流出し水質汚染も招いていた。
【課題を解決するための手段】
【０００４】  上記を解決するために、請求項１に記載の固形石鹸保管具は、台座部と受け皿部を有し、台座と受け皿の間を隔離する支柱を設け、受け皿の上面に受け皿の略中央に向かい上方から下方に傾斜して集合した複数の溝を設け、この集合部分に集合部分より更に下方に受け皿の外縁に向かい傾斜した第２の溝を設けたことを特徴としている。【０００５】  請求項２に記載の固形石鹸保管具は、台座の上面に窪みを設け、請求項１により設けられた第２の溝から流れ落ちる固形石鹸に付着した水分を受けて溜めることを特徴としている。
【発明の効果】
【０００６】  請求項１に記載の発明によれば、台座部と受け皿部を有し、台座と受け皿の間を隔離する支柱を設け、受け皿の上面に受け皿の略中央に向かい上方から下方に傾斜して集合した複数の溝を設け、この集合部分に集合部分より更に下方に受け皿の外縁に向かい傾斜した第２の溝を設けたことから、隣接する各々の溝の間を大きな曲線で繋げ固形石鹸と受け皿との接触面積を減らし、固形石鹸と溝との空間を大きく取り、複数の溝から第２の溝へ固形石鹸に付着した水分を流し、台座と受け皿の間を隔離した支柱により台座を置く場所から受け皿を隔離し室内に対流する空気の流れの影響を受け易くしたことから、受け皿の周辺を上方に向かって対流する空気の一部が受け皿の外縁に向かい傾斜した第２の溝を逆流し、固形石鹸と複数の溝の空間を通り上方に向かい固形石鹸の乾燥を促進することにより、固形石鹸が溶け崩れゲル状となる現象を抑制し、乾燥不十分な状態での再使用による固形石鹸の消耗を減らし、また、ゲル状石鹸溶液内の細菌の増殖を抑制し皮膚の傷害を招く恐れを抑制すると共に、洗剤による水質汚染も抑制することが可能となる。【０００７】  また、固形石鹸の一部がゲル状となり乾燥した際に生じる受け皿との固着状態は、台座と受け皿の間を隔離する支柱を設けたことから、この支柱と受け皿をワイングラスを持つが如き状態で手で掴むことにより容易に受け皿から固形石鹸を剥がすことができる。【０００８】  請求項２に記載の発明によれば、台座の上面に窪みを設けたことから、この窪みを請求項１の受け皿の外縁に向かい傾斜した第２の溝に対向した位置に設けることによって、傾斜した第２の溝から流れ落ちる固形石鹸に付着した水分を受けて溜めることが可能となり、固形石鹸保管具外部への固形石鹸の付着した水分の流出をなくしている。
【発明を実施するための最良の形態】
【０００９】  以下、本発明の実施例の固形石鹸保管具を幾つかの図面を参照し説明する。
図１は、本発明の正面部分断面図であり、台座（１）と受け皿（２）の間を隔離する支柱（３）を設け、受け皿（２）の上面に受け皿（２）の略中央に向かい上方から下方に傾斜して集合した溝（４ａ）、（４ｂ）、（４ｃ）を設け、この集合部分に集合部分より更に下方に受け皿（２）の外縁に向かい傾斜した第２の溝（５）を設け、受け皿（２）に固形石鹸（７）を置いた形態を示している。【００１０】  図２は、図１の側面部分断面図であり、台座（１）と受け皿（２）の間に支柱（３）を設け、受け皿（２）が台座を置く台（８）から隔離されている状態を示し、図中の矢印で示す如く、受け皿（２）の周囲を上方に向かって対流する空気の一部が第２の溝（５）を通り、固形石鹸（７）の底部に設けられた溝（４ａ）を通過し上昇している状態を示し、また、台座（１）には、請求項２による第２の溝（５）から流れ落ちる固形石鹸（７）に付着した水分を受けて溜める窪み（６）が設けられていることを示している。【００１１】  図３は、図１の上面図であり、図１の状態から固形石鹸（７）を受け皿（２）から外した状態を表し、受け皿（２）の上面に設けられた溝（４ａ）、（４ｂ）、（４ｃ）、第２の溝（５）の位置、及び台座（１）に設けられた請求項２の窪み（６）と受け皿（２）の設けられた第２の溝（５）との関係位置を示している。【００１２】  図４は、図２のＡ部断面図であり、受け皿（２）に固形石鹸（７）を置いた状態と溝（４ａ）との関係を示している。
【図面の簡単な説明】
【００１３】
【図１】  本発明の実施例の正面部分断面図である。
【図２】  図１の側面部分断面図である。
【図３】  図１の固形石鹸を外した状態の上面図である。
【図４】  図２のＡ部断面図である。
【符号の説明】
【００１４】  １  台座
２  受け皿
３  支柱
４ａ、４ｂ、４ｃ  溝
５  第２の溝
６  窪み
７  固形石鹸
８  台座を置く台
【図１】
2010106224.tif 000003
【図２】
2010106224.tif 000004
【図３】
2010106224.tif 000005
【図４】
2010106224.tif 000006
(57)【要約】      （修正有）【課題】化石燃料を主燃料として居る内燃機関のＣＯ２が半減され、燃焼効率が向上し、燃料効率が上がる装置を提供する。【解決手段】燃料供給パイプ１に２個の永久磁石２をパイプに挟むように取りつける。【選択図】図１
2010106821.tif 000002
【特許請求の範囲】
【請求項１】
化石燃料を主燃料として居る、内燃機関を駆動されて居る物を対象に開発した器具です、燃料を燃やすことにより、あらゆる弊害がこの地球を汚しております。これらの課題をいち早く元に戻さねばならない、そう言った事を考えると、この器具は時代が産んだものと思われる。    実験に於いては、一般に言われているバイクに始まりあらゆる乗り物に関して共通しており、燃料取り入れ用パイプに２個の永久磁石をパイプに挟むように取り付けル事により、パイプ内の燃料、主に液体のクラスターの状態が一変し、（粒子が細かくなり）燃焼効率が数倍向上する事により、ＣＯ２が半減されます、又燃料効率が上がることにより、燃料消費が格段に向上する。
【請求項２】
永久磁石を内燃機関、その他あらゆる駆動の原動力に成っておる、石油類で原動力を得ている、あらゆる内燃機関にセットしますと二酸化炭素がおよそ半減する、安価で安心、安全な器具を開発いたしました。テストの結果燃費も２〜３キロ燃費が助かります、現今にＣＯ２を１日でも早く軽減させなければ成りません。
【請求項３】
燃料パイプにワンタッチで取り付けられる器具とした。バイクのような小さいものから、大型のものまで簡単に取り付けられるようにした。
【請求項４】
主に、気化器のそばが好ましいことから、ワンタッチ取り付けられるようにした。
【請求項５】
磁石は、元より高熱（８０度）以上になれば磁石本来の性能が著しく低下するためエンジンルーム内に取り付けねばならない事から、断熱材で保護せねばならない。
【請求項６】
燃料パイプに負担は禁物であるため、パイプの外側から抱きかかえるような構造にした。
【請求項７】
燃料パイプ、外側からセグメント型にし、簡単に取り付けられるようにした。
【発明の詳細な説明】
【技術分野】
【０００１】  本発明は、内燃機関の燃料パイプに挟む様に取り付けることにより、燃料液のクラスターの分子をより細かくすることを目的に物理的な装置である。
【背景技術】
【０００２】  永久磁石で、簡単にＣＯ２を半減出来れば地球温暖化に寄与できる。
【発明の開示】
【発明が解決しようとする課題】
【０００３】  たかが、永久磁石であるが、地球規模でＣＯ２削減には無くてはならない商品である
【課題を解決するための手段】
【０００４】    燃料の供給パイプに磁石をセットする事により、燃料液のクラスターが細かくなることを目的とするものである。  ＣＯ２のカットが約１／２という驚異の数値が出た事で解ることは、液体輸送パイプに磁石のキットをセットする事によりＣＯ２は半減したことで驚異の効果が得られた。【０００５】    大きく判明することは、ＣＯ２は殆どが１／２以上の結果が報告されております    それに加えて、燃焼効率が数段良くなっておることは確かである。【０００６】    磁石を取り付けることにより、液体燃料のクラスターが細かくなることにより、出足がスムースになる、音が静かになる、発進時に違和感がないすこぶる快調になる、ＣＯ２の削減が、身をもって感じ取ることが出来る事が実証された。
【図面の簡単な説明】
【０００７】    図１の説明を致します。▲１▼燃料供給パイプ▲２▼セグメント型永久磁石▲３▼プラスチックカバー止めかね付き。【０００８】    図２の説明を致します。▲１▼燃料供給パイプ▲２▼ストッパー▲３▼磁石カバー▲４▼カバー蝶番【０００９】    図３の説明を致します。▲１▼燃料パイプ▲２▼ストッパー▲３▼磁石カバー▲４▼カバー蝶番【００１０】    図４の説明を致します。▲１▼燃料パイプ▲２▼ストッパー▲３▼磁石カバー▲４▼カバー蝶番【００１１】
【図１】
2010106821.tif 000003
【図２】
2010106821.tif 000004
【図３】
2010106821.tif 000005
【図４】
2010106821.tif 000006
(57)【要約】【課題】窓の鍵を閉めたか否かは、鍵部はカーテン、レースに覆われているため直視出来ないため容易に視認することが困難であった。【解決手段】次の構成を有する施錠確認装置である。（イ）窓の側部に設けた回動式鍵の回転に連動して上下動する磁石を窓の上部に設ける。（ロ）窓の側部に設けた回転式鍵の回転と窓の上部に設けた磁石の上下動の連動にはワイヤーを使用する。（ハ）窓の上枠に磁石を設け、この磁石の上下動により窓の開閉を表示するフラッグを設ける。（ニ）窓の開閉を表示するフラッグと窓の上枠に設けた磁石の連動にはワイヤーを使用する。【選択図】図２
2010106651.tif 000002
【特許請求の範囲】
【請求項１】
次の構成を有する施錠確認装置
（イ）窓の側部に設けた回動式鍵の回転に連動して上下動する磁石を窓の上部に設ける。
（ロ）窓の側部に設けた回転式鍵の回転と窓の上部に設けた磁石の上下動の連動にはワイヤーを使用する。
（ハ）窓の上枠に磁石を設け、この磁石の上下動により窓の開閉を表示するフラッグを設ける。
（ニ）窓の開閉を表示するフラッグと窓の上枠に設けた磁石の連動にはワイヤーを使用する。
【発明の詳細な説明】
【技術分野】
【０００１】本発明は、窓の鍵の開閉に連動したフラッグを窓のすぐ上に設け、窓の鍵の開閉を視覚的に示すことが出来る装置に関する。
【背景技術】
【０００２】外出、就寝時に窓の鍵を閉めたかどうか不確かな時が良くある、これを確実に閉めたことを確認することが必要となる。
【発明の開示】
【発明が解決しようとする課題】
【０００３】窓の鍵を閉めたか否かは、鍵部はカーテン、レースに覆われているため直視出来ないため容易に視認することが困難であった。
【課題を解決するための手段】
【０００４】本発明は、次の構成を有する施錠確認装置である。
（イ）窓の側部に設けた回動式鍵の回転に連動して上下動する磁石を窓の上部に設ける。
（ロ）窓の側部に設けた回転式鍵の回転と窓の上部に設けた磁石の上下動の連動にはワイヤーを使用する。
（ハ）窓の上枠に磁石を設け、この磁石の上下動により窓の開閉を表示するフラッグを設ける。
（ニ）窓の開閉を表示するフラッグと窓の上枠に設けた磁石の連動にはワイヤーを使用する。
【発明の効果】
【０００５】本発明を使用することにより日頃、鍵を掛けたかな・・・！と言う不安げな事がフラッグを建てることにより一目瞭然に直視出来るので、安心して外出・就寝できる。
【発明を実施するための形態】
【０００６】本発明の実施形態について説明する。窓の側面に設けた回転式鍵の回転に連動してワイヤーを上下動させる。このワイヤーの上下動により窓の上部に設けた磁石を上下動させる。窓の上枠に設けた磁石の上下動をワイヤー介して窓の開閉を表示するフラッグを可動させる。
【０００７】次に、この実施形態の動作について説明する。回転式鍵を閉める状態にするとワイヤーが上昇して窓の上部に設けた磁石が上昇する。この上昇した磁石に吸引されて窓枠に設けた磁石が下降する。この窓枠に設けた磁石の下降よりワイヤーを介してフラッグを閉表示にする。回転式鍵を開く状態にするとワイヤーが下降して窓の上部に設けた磁石が下降する。この下降によりこの磁石に吸引されていた窓枠に設けた磁石が上昇する。この窓枠に設けた磁石の上昇によりワイヤーを介してフラッグを開表示にする。
【実施例】
【０００８】本発明を図１、図２、図３に示す実施例に基づいて説明する。図１は本発明の窓の鍵閉め忘れ防止装置を窓に取付けた図である。図２は窓の鍵を閉めた状態の図である。図３は窓の鍵を開いた状態の図である。本実施例においては、窓の側部に設ける回転式鍵はクレセントを使用する。しかし、本発明はクレセントに限定されるものではない。【０００９】最初に、窓枠部の構成について説明する。図１に示すように、窓の上部に窓の開閉を表示するフラッグ１を設ける。フラッグ１は、図２、図３に示すようにスプリング２より飛び出す方向に付加されている。フラッグ１にはワイヤー３の一端が取付けられている。ワイヤー３の他端にはマグネット５が取付けられている。ワイヤー３はワイヤー案内コロ４により水平から垂直に方向を変えている。よって、マグネット５はスプリング２より上方に付加されている。【００１０】次に、窓部の構成について説明する。図２、図３に示すように、窓の上部にスプリング７によりマグネット６を上方向に飛び出す方向に付加されている。マグネット６にはワイヤー８の一端が取付けられている。ワイヤー８の他端はクレセント１０が取付けられているクレセント軸９に巻かれている。ワイヤー８はスプリング７により上方に付加されている。【００１１】次に、本実施例の動作について説明する。図２に示すように、閉じた状態にクレセント１０を回転すると、クレセント１０の回転によりクレセント軸９が回転し、クレセント軸９に巻かれていたワイヤー８がスプリング７の付加により繰り出される。これによりワイヤー８の一端に取付けられているマグネット６が上昇する。マグネット６の上昇により、マグネット５、６間の磁力によりマグネット５がスプリング２の付加に抗して下降する。マグネット５に取付けられているワイヤー３が引張られてワイヤー３の一端に取付けられているフラッグ１が開表示になる。図３に示すように、開いた状態にクレセント１０を回転すると、クレセント１０の回転によりクレセント軸が回転し、クレセント軸９にワイヤー８が巻かれる。これによりワイヤー８の一端に取付けられているマグネット６がスプリング７の付加に抗して下降する。マグネット６の下降によりマグネット５がスプリング５の付加により上昇し、フラッグ１は閉表示になる。
【図面の簡単な説明】
【００１２】
【図１】窓鍵忘れ防止装置全体概要図
【図２】窓の鍵を掛けることによりフラッグが閉じた構成図
【図３】窓の鍵を開けることによりフラッグが開いた構成図
【符号の説明】
【００１３】    １  フラッグ
２  壁側スプリング
３  壁側ワイヤー
４  壁側ワイヤー案内コロ
５  壁側マグネット
６  窓側マグネット
７  窓側スプリング
８  窓側ワイヤー
９  クレセントノブ軸
１０クレセント
【図１】
2010106651.tif 000003
【図２】
2010106651.tif 000004
【図３】
2010106651.tif 000005
(57)【要約】【課題】ウオーターハンマーの発生しないウオーターハンマー防止機能付止水栓を提供すること。【解決手段】流入口１２及び吐出口１３を有する筒状の本体１の中央部に球状の弁体２と弁座３が設けられ、その側面に弁体２をウオーターハンマーの発生しないように任意の速さで移動し閉栓するための閉栓速度調節ネジ１０及びダイヤフラム７・ダイヤフラム室８・駆動軸６等からなるウオーターハンマー防止機能付止水栓。【選択図】図１
2010106646.tif 000002
【特許請求の範囲】
【請求項１】
水道等液体の配管及び各種止水栓、蛇口等に採用できるウオーターハンマー防止機能付止水栓にて、弁体２が弁座３より作動軸６を介して移動させられる事により吐水する機構を特徴とする止水栓。
【請求項２】
止水栓本体側面に固着された請求項１のウオーターハンマー防止機構は、駆動源１４を解放すると作動軸６が、ダイヤフラム７ａ及び７ｂの復帰力により後退すると共に弁体２も弁座３の定位置に復帰し止水することを特徴とする止水栓。
【請求項３】
作動軸６の後退速度すなわち弁体２の復帰速度は、ダイヤフラム室８ａ・８ｂに封入された気体又は液体が、駆動源１４の作動によりダイヤフラム室８ａから逆止弁９部を介してダイヤフラム室８ｂ移動する。駆動源１４の開放すると逆止弁は閉塞しダイヤフラム室８Ｂ内の気体又は液体は逆流孔１１を介してダイヤフラム室８ａに逆流するため作動軸６は後退し弁体２も復帰し止水するが、その速度を逆流孔１１の流量を調節ネジ１０の調整によりウオーターハンマーを発生することなく止水することを特徴とする止水栓。
【請求項４】
流入口１２及び吐出口１３に接続する継手を変えることにより配管に直接使用すれば配管制御、一般蛇口等各種水栓として、また、既設の各種混合栓及び、各種蛇口等の吐水口に直接取付ることも可能な、広範囲に採用できる請求項１のウオーターハンマー防止機能付止水栓。
【請求項５】
駆動源１４に電磁力・電動機等を使用し、電子回路による制御をするとウオーターハンマー機能付の自動水栓に、また駆動源１４が手動の場合は、押しボタン又は、レバーを上下左右前後に操作をする、半自動水栓と幅広く選択できることを特徴とする止水栓。
【請求項６】
吐水状態にするために駆動源１４を作動させると、作動軸６は前進する同時にダイヤフラム７ａ及び、７ｂの作動軸に固着された中心部も前進することにより、ダイヤフラム室８ａ及び８ｂに満杯に注入された油、水等各種液体及び空気が、逆止弁９部を介してダイヤフラム室８ａからダイヤフラム室８ｂに移動する。駆動源１４を開放すると作動軸６が後退し始め同時に逆止弁９は閉止状態になるので、逆流孔１１を介してダイヤフラム室８ｂの液体等は、ダイヤフラム室８ａへ逆流を始める、その流量を調節ネジ１０で加減し作動軸６の後退速度即ち弁体２の閉止速度を調整して、請求項１のウオーターハンマーを防止する機能を有する止水栓。
【請求項７】
ダイヤフラム室８ａ・ｂに挿入する気体及び液体等は制御対象液体の温度・粘度・圧力等の状態及び使用する場所の温度等環境に合わせた種類を選択できるので、利用範囲の広い止水栓。
【発明の詳細な説明】
【技術分野】
【０００１】本発明は、水道等液体の配水管の制御・管理及び、出水口を制御するウオーターハンマー防止機能付止水栓に関する。
【背景技術】
【０００２】従来、ウオーターハンマーの防止には、止水栓にて発生したウオーターハンマー現象を吸収消滅させるウオーターハンマー防止器を使用する。（特許文献１）
また、ウオーターハンマーの発生しない程度の流水量の止水栓を採用するか、止水栓の流水量及び閉止速度を人為的に調整してウオーターハンマーを防止している。
【特許文献１】  特許公開２００３−０６５４８４号公報
【発明の開示】
【発明が解決しようとする課題】
【０００３】本発明は、ウオーターハンマーを発生させない止水栓であるので、ウオーターハンマー防止器、防止装置等を必要としない。【０００４】各市町村及び戸建、集合住宅、企業、工場等水源及び給水方法による相違また、液体の種類により水圧・流速が異なるので、個々の末端の蛇口及び各種止水栓の手前にウオーターハンマー防止装置の設置、水圧、流速を調整又は、閉栓速度に注意しウオーターハンマーの防止対策をしている。
【課題を解決するための手段】
【０００５】水道等液体の配管及び、止水栓、蛇口等に採用できるウオーターハンマー防止機能を備えた止水栓である。
【発明の効果】
【０００６】従来のウオーターハンマー防止器等は、発生したウオーターハンマー現象を減少又は吸収消滅させるのが目的であるが、本発明は、ウオーターハンマーを発生させない構成なので、防止器を必要としない。【０００７】配管の制御に採用する場合は、管の内断面積と同じ断面積の弁座３及びそれに対応した弁体２を採用することにより、流水の抵抗は皆無に近いものと思われる。【０００８】本発明は、給水の減圧も必要なく給水路にはなんら抵抗のない構成なので、常時全開の吐水が可能な状態を維持できる。
【発明を実施するための最良の形態】
【０００９】本体１の吐出口１０とシングルレバー又は２ハンドル混合栓の吐出口に継手を介して接続し駆動源１２が手動の場合、指先等で押すレバーの先端を吐出口１１の近くに配置する。
そのレバーを指先又はコップ等容器で押すと作動軸４が、前進弁体２を移動させ吐水する。混合栓で適温に調整しておくと常時一定の温度の水を出すことができる。【００１０】本体１を管末の接続部に装着、駆動源１２に電磁力・電動機等を用い制御に電子回路を採用するとウオーターハンマー防止機能付自動水栓となる。
【図面の簡単な説明】
【００１１】
【図１】本発明に係るウオーターハンマー防止機能付止水栓の組立図、及び通水の止水状態を示す断面図。
【図２】本発明に係るウオーターハンマー防止機能付止水栓の開栓途中の状態を示す断面図。
【図３】本発明に係るウオーターハンマー防止機能付止水栓の全開栓の状態を示す断面図。
【図４】本発明に係るウオーターハンマー防止機能付の閉栓中の状態を示す断面図。
【符号の説明】
【００１２】  １    本体
２    弁体
３    弁座
４    弁座固定板
５    Ｏリング
６    作動軸
７ａ  ダイヤフラムａ
７ｂ  ダイヤフラムｂ
８ａ  ダイヤフラム室ａ
８ｂ  ダイヤフラム室ｂ
９    逆止弁
１０    閉栓速度調節ネジ
１１    逆流孔
１２    流入口
１３    吐出口
１４    駆動源
【図１】
2010106646.tif 000003
【図２】
2010106646.tif 000004
【図３】
2010106646.tif 000005
【図４】
2010106646.tif 000006
(57)【要約】【課題】従来のまつげ用養毛・育毛促進液はあらゆるものが混合しそのほとんどが成分に化学合成剤が用いられ、肌の弱い・敏感肌の人には適用せず、効果もまちまちで、また化学合成剤の臭いにストレスを感じるという欠点があった。【解決手段】本発明は焼酎にキダチアロエ、松の樹皮、ゴーヤー、唐辛子を混入し、所定期間密閉し熟成させ、キダチアロエが緑色から褐色に変色するまで熟成させ、キダチアロエ、松の樹皮、ゴーヤー、唐辛子を濾過した焼酎にグレープフルーツシードエキス、ホホバオイル、コラーゲン、ヒアルロン酸、イランイラン精油を混合したまつげ用養毛・育毛促進液である。これらの天然成分がまつげに負担をかけずに、有効成分がまつげの成長を著しく促し、ホホバオイル、ヒアルロン酸、コラーゲンが有効成分をしっかりと閉じ込め、さらにまつげの成長を促す。また、イランイラン精油の香りストレスを与えないことにより、上記課題を解決するものである。【特許請求の範囲】
【請求項１】
水洗いし天日干しをしたキダチアロエと松の樹皮をそれぞれカットしたものと、ゴーヤーと唐辛子を予め用意した容器に焼酎と共につけこみ、所定期間密閉、キダチアロエが緑色から褐色に変色するまで熟成させた後、この液体を濾過させる。濾過した液体にグレープフルーツシードエキス、ホホバオイル、コラーゲンヒアルロン酸、イランイラン精油を混合した植物原料を特徴とする焼酎を用いたまつげ用養毛・育毛促進液。
【請求項２】
水洗いし天日干しをしたキダチアロエと松の樹皮をそれぞれカットしたものと、ゴーヤーと唐辛子を、予め用意した容器に焼酎と共につけこみ、所定期間密閉、キダチアロエが緑色から褐色に変色するまで熟成させた後、この液体を濾過させる。濾過した液体にグレープフルーツシードエキス、ホホバオイル、コラーゲンヒアルロン酸、イランイラン精油を混合した植物原料を特徴とする焼酎を用いたまつげ用養毛・育毛促進液の製造方法。
【発明の詳細な説明】
【発明の詳細な説明】
【技術分野】
【０００１】本発明は、焼酎にキダチアロエエキス入り、松の樹皮エキス入り、ゴーヤーエキス入り、唐辛子エキス入り且つグレープフルーツシードエキス、ホホバオイル、コラーゲン、ヒアルロン酸、イランイラン精油を添加した植物原料を主としたまつげ用養毛・育毛促進液及び製造方法の分野に関するものである。
【背景技術】
【０００２】従来のまつげ用養毛・育毛促進液はあらゆるものが混合しそのほとんどが成分に化学合成剤が用いられ、肌の弱い、敏感肌の人には適用せず、効果もまちまちで、また化学合成剤の臭いにストレスを感じるという欠点があった。
【発明の開示】
【発明が解決しようとする課題】
【０００３】本発明では植物原料の成分を用い肌、まぶた、まつげに優しいまつげ用養毛・育毛促進液を提供することを目的とするものである。
【課題を解決するための手段】
【０００４】本発明は焼酎にキダチアロエ、松の樹皮、ゴーヤー、唐辛子を混入し、所定期間密閉し熟成させ、キダチアロエが緑色から褐色に変色するまで熟成させ、キダチアロエ、松の樹皮ゴーヤー、唐辛子を濾過した焼酎にグレープフルーツシードエキス、ホホバオイル、コラーゲン、ヒアルロン酸、イランイラン精油を混合した植物原料を主としたまつげ用養毛・育毛促進液とその製造方法である。
【発明の効果】
【０００５】本発明のまつげ用養毛・育毛促進液は、焼酎の豊富なミネラルとアルコール成分がアロエエキス成分を含有する保湿作用等によってまつげに潤いを保ち、松の樹皮から抽出される成分の強力な抗酸化物質をもつフラボノイド、アントシアニジンがまつげに栄養を与え、ゴーヤーエキスでまつげのコンディションを整え、唐辛子に含まれるカプサイシンにより新陳代謝を高める。【０００６】さらにグレープフルーツシードエキスを入れることによりグレープフルーツシードエキスがもつ抗酸化作用や、有害なウイルス・細菌、カビに対して強力な実力を発揮する。ホホバオイル、コラーゲン、ヒアルロン酸を混合することによりペースト状になり目にしみにくく、栄養分をまつげに閉じ込め、効果をたかめることができる。イランイラン精油の香りは心身的にもストレスを与えず、癒す効果がある。従来のアロエエキス入りまつげ養毛・育毛促進液よりもすぐれた効能を発揮したものである。
【実施例】
【０００７】３７歳男性の指にごく少量のまつげ用養毛・育毛促進液を付着させ、まつげに塗るとアロエエキスの有効成分と、松の樹皮エキスの有効成分と、ゴーヤーエキスの成分と、焼酎のアルコール成分、唐辛子の有効成分とグレープフルーツシードエキス、ホホバオイル、コラーゲン、ヒアルロン酸とがまつげをうるおわせ、まつげのうるおいを保持し、まつげに栄養を与え、２日とういう短い時間で小さいまつげが生え出し１週間後には綺麗な形で伸びたという効果があった。
また３７歳女性に１週間まつげ用養毛・育毛促進液をつけたところまつげが綺麗な形で伸びまつげパーマをする必要がなくなり、はだ・まぶた・まつげに負担をかけないようになったという効果があった。本発明のまつげ用養毛・育毛促進液は長期間瓶においても、焼酎、ホホバオイル、グレープフルーツシードエキスの効果でカビの発生がないことが実証できた。【０００８】本発明の請求項１、２の発明に関する実施の形態は前記各請求項において共通部分が多いので以下のとおり説明する。【０００９】本発明は予め用意された容器内に焼酎を所定量、例えば１．０ｌ成分中にキダチアロエを所定量３０ｇ、松の樹皮を所定量１０ｇは水洗いしカットし天日干しにする【００１０】ゴーヤーの場合、所定量５ｇを前記キダチアロエ、松の樹皮と同様、前記焼酎のアルコール成分に混入、以上のように焼酎にキダチアロエ、松の樹皮、ゴーヤーを混入した後、容器を密閉し密閉を解除することなく、所定期間、例えば２週間熟成させる。【００１１】上述のように所定期間熟成させると、キダチアロエが、緑色から褐色に変色し、さらに焼酎が茶色に変色し、その際、松の樹皮、ゴーヤーも茶色になっている。【００１２】以上のように本発明は、キダチアロエが褐色に変色することを目安として次の製造過程に入る。【００１３】次にキダチアロエ、松の樹皮、ゴーヤーから出る細かい破片を除去しさらにキダチアロエ、松の樹皮、ゴーヤーの微小の固形物を除去するため、ペーパーフィルターで濾過し、その結果焼酎のアルコール成分をキダチアロエエキス、松の樹皮エキス、ゴーヤーエキスの抽出成分が混合された液が得られる。その液に唐辛子２本を２日間混合させ、またペーパーフィルターで濾過し、ベースとなる養毛育毛液ができる。これにヒアルロン酸３００ｇコラーゲン３００ｇホホバオイル３００ｇ精油５ｃｃグレープフルーツシードエキス５ｃｃを加える。【００１４】上述のように濾過し、混合されたまつげ用養毛・育毛促進液は、小瓶に分け栓をして使用する。【００１５】また本発明のまつげ用養毛・育毛促進液は、その製造工程の一つであるキダチアロエ・松の樹皮・ゴーヤー・唐辛子を濾過したものを頭皮養毛・育毛促進液としても短時間で著しい効果を出すものである。シャンプー・トリートメントに対して５％入れると泡立ちもよくなり、頭皮を清潔に保ち、洗髪後の爽快感も得られ、髪が生えてきたという実証もある。キダチアロエエキス・松の樹皮エキス・ゴーヤーエキス・唐辛子エキスが抽出され、それらのエキスが頭皮に付着し、頭皮を清潔に保ち栄養を与え、髪が生え、髪にはりやこしつやがでてくるなどあらゆる利点を有している。
(57)【要約】【課題】眼鏡小売店に於いて、デモレンズを利用した眼鏡の販売促進を図る事。【解決手段】眼鏡小売店での注文の際に、デモレンズ（３０）を外して、注文のレンズに入れ替えて眼鏡を販売する為の販売システムであって、眼鏡小売店の少なくとも一つのコーナー（１０）、又は小売店舗の殆ど全てのスペースに、統一的、又はパターン化した色彩・装飾（４０）を施したデモレンズを装備した眼鏡を配置し、デモレンズの装飾により顧客を引き付け、眼鏡の販売を促進し、そして、顧客が眼鏡注文の際に、前記色彩・装飾デモレンズと同じ柄の矯正レンズ、又は、通常の矯正レンズのどちらかを選択注文出来るようにした眼鏡販売システムの提供。【選択図】図１
2010102278.tif 000002
【特許請求の範囲】
【請求項１】
眼鏡小売店での注文の際に、デモレンズを外して、注文のレンズに入れ替えて眼鏡を販売する為の販売システムであって、眼鏡小売店の少なくとも一つのコーナー、又は小売店舗の殆ど全てのスペースに、統一的、又はパターン化した色彩・装飾を施したデモレンズを装備した眼鏡を配置し、デモレンズの装飾により顧客を引き付け、眼鏡の販売を促進する事を特徴とする眼鏡販売システム。
【請求項２】
顧客が眼鏡注文の際に、前記色彩・装飾デモレンズと同じ柄の矯正レンズ又は、通常の矯正レンズのどちらかを選択注文出来るようにした事を特徴とする請求項１記載の眼鏡販売システム。
【発明の詳細な説明】
【技術分野】
【０００１】  本発明は眼鏡小売店での眼鏡の販売システムに関する。
【背景技術】
【０００２】  従来、眼鏡小売店での販売に於いては、度も色も付いていないデモレンズを嵌めたフレームを展示して販売していた。
【発明の開示】
【発明が解決しようとする課題】
【０００３】  しかしながら眼鏡に於いて、レンズの表面積はフレームのそれより大きく、且つ、眼鏡はレンズを正面に向けて並べて販売している。今迄は、そのレンズを眼鏡小売店の販売の為に役立てられなかった。
【課題を解決するための手段】
【０００４】  上記課題、即ち、眼鏡のデモレンズを、眼鏡小売店での販売促進に少しでも役に立てるものにするために、本発明では、眼鏡小売店での注文の際に、デモレンズを外して、注文のレンズに入れ替えて眼鏡を販売する為の販売システムであって、眼鏡小売店の少なくとも一つのコーナー、又は小売店舗の殆ど全てのスペースに、統一的、又はパターン化した色彩・装飾を施したデモレンズを装備した眼鏡を配置し、デモレンズの装飾により顧客を引き付け、眼鏡の販売を促進する事を特徴とする眼鏡販売システムの提案を図った。【０００５】  そして又、次に顧客が眼鏡注文の際に、前記色彩・装飾デモレンズと同じ柄の矯正レンズ又は、通常の矯正レンズのどちらかを選択注文出来るようにした事を特徴とする眼鏡販売システムも合わせて提案を図った。
【発明の効果】
【０００６】  本発明の採用により、眼鏡を選ぶ為の手段が多様化し、眼鏡小売店全体の色調や雰囲気とデモレンズとの色調、装飾等の組み合わせで、今迄に無い眼鏡小売店における販売システムが出来上がる事となる。
【発明を実施するための最良の形態】
【０００７】  眼鏡小売店での注文の際に、デモレンズを外して、注文のレンズに入れ替えて眼鏡を販売する為の販売システムであって、眼鏡小売店の少なくとも一つのコーナー、又は小売店舖の殆ど全てのスペースに、統一的、又はパターン化した色彩・装飾を施したデモレンズを装備した眼鏡を配置し、デモレンズの装飾により顧客を引き付け、眼鏡の販売を促進する事を特徴とする眼鏡販売システム。
【実施例１】
【０００８】  図１は、眼鏡小売店での一コーナー１０に眼鏡（２０、２１、‥）が並べられた斜視図であり、その中で、眼鏡（２０，２１、‥）のデモレンズ３０，３０には、例えば、縦列毎に図の様に色彩部分又は／及び装飾部分４０を同じ様にして設けて陳列して置く。色は同じか、グラデーション的に変化しても良い。【０００９】  次の列Ｓ２には、Ｓ１の列とは異なった色彩、装飾を有するデモレンズ４１を嵌めた眼鏡（２０ａ，２１ａ，‥）が同様に用意される。次の列Ｓ３も同様になる。勿論、このコーナー１０だけでも良く、店舗他のコーナー毎に同様にする事も好ましい。【００１０】  次に、図２のスタンド式コーナーＴに於いても同様に、壁面（５０，５１，５２，５３）毎の眼鏡（２０ｂ，２１ｂ‥）のデモレンズに、何らかの色彩、装飾を統一的に施される事により顧客注目度が上がり、眼鏡を手にする確率も高くなってくる。したがって、購入する確率も高くなる。【００１１】  図３は、本発明の他の実施例の販売システム図であり、先ず、眼鏡の販売がなされた時、従来は、右側のシステムの様に、その小売店での所有の矯正レンズが取り付けられる。本システムでは、更に顧客の気に入った上記展示デモレンズと同じ色彩、装飾を付けた矯正レンズの注文も可能とした。というのも、小売店頭に於いてある矯正レンズは、表面にコーティングが施されてあるので、その上に染色等をする事が出来ないからである。【００１２】  図４は、本発明の販売システムで使用されるデモレンズ（Ｌ。Ｒ）の一つの例の正面図である。勿論、デモレンズ（Ｌ、Ｒ）が全体的に薄い同じ色で染めた物でも良いが、本発明に於いて試したのは、視点Ｑの近辺には色や模様を付けないで、視野に入らない所、例えば、縁から１ｃｍ以内で、中心水平線Ｇ１、Ｇ２に斜めに縁から色彩又は装飾された物が好ましく、視野の邪魔にはならず、フレームの色彩模様を正確に見取る事が出来た。
【産業上の利用可能性】
【００１１】眼鏡の小売に於いてレンズを利用した販売の方法の可能性が広がる。
【図面の簡単な説明】
【００１２】
【図１】小売店での一コーナーの実施斜視図
【図２】小売店でのスタンドコーナーの実施斜視図
【図３】本発明を利用した販売システム図
【図４】本発明のシステムに使用されるデモレンズの一応用例の正面図
【符号の説明】
１０、            眼鏡小売店での一コーナー
２０，２１、‥    眼鏡
３０、            デモレンズ
４０、            デモレンズ装飾部分
Ｓ１、Ｓ２        列
Ｔ                スタンドコーナー
５０、            スタンドコーナー壁面
【図１】
2010102278.tif 000003
【図２】
2010102278.tif 000004
【図３】
2010102278.tif 000005
【図４】
2010102278.tif 000006
(57)【要約】【課題】デジタルカメラで構造物の垂直面や水平線等がない風景を撮影する場合、デジタルカメラ本体が傾かないように保持することは困難である。【解決の手段】デジタルカメラ本体に傾斜角センサーを取り付け、その出力信号によりデジタルカメラの傾きを液晶モニタに表示する。【選択図】図１
2010102280.tif 000002
【特許請求の範囲】
【請求項１】
デジタルカメラやデジタルビデオカメラに本体の傾きを検出する傾斜角センサーを取り付け、傾斜角センサーの出力信号を映像信号処理回路によりデジタルカメラやデジタルビデオカメラの映像表示装置に傾斜角を、直線やマークなどで表示することを特徴としたデジタルカメラやデジタルビデオカメラ。
【発明の詳細な説明】
【技術分野】
【０００１】本発明は、デジタルカメラやデジタルビデオカメラ（以下デジタルカメラと記述する）で撮影した映像が傾かないように、映像を表示する映像表示装置（以下液晶モニタと記述する）にカメラの傾きを表示す方法に関するものである。
【背景技術】
【０００２】従来、撮影時にデジタルカメラ本体が傾くと撮影された映像が斜めになり著しく美観を損なうことになる。それを解決する方法としてデジタルカメラの液晶モニタに格子状の補助線を表示し、その格子状の補助線に構造物の垂直面や、水平線などを格子状の補助線に合わせて撮影することで被写体の映像を斜めに撮影しないよにしていた。【０００３】
【特許文献１】特開２００８−０２８７２８号公報
【発明の開示】
【発明が解決しようとする課題】
【０００４】前述の方法では風景などの映像に明らかな垂直面をもつ構造物や水平なものがない場合はデジタルカメラ本体の傾きを知ることは困難である。また、明らかな垂直面をもつ構造物や水平なものがあったとしても，格子状の補助線を対象物に合わせれば意図する映像とは撮影範囲が異なったものになる。
【発明を解決するための手段】
【０００５】デジタルカメラ本体に取り付けた傾斜角センサーから傾斜角θに相当する出力信号を映像信号処理回路によって液晶モニタに直線や目盛り上に表示したマークとして被写体の映像に上書き表示する。
【発明の効果】
【０００６】撮影者は撮影しようとする風景などの映像に明らかな垂直面をもつ構造物や水平なものがない場合や、映像信号線からの映像信号号がなく、液晶モニタに映像が映し出されない場合でも、デジタルカメラ本体の傾きを容易に知ることが出来る。
【発明を実施するための最良の形態】
【０００７】（イ）デジタルカメラ本体（１）に傾斜角センサー（８）を取り付ける。
（ロ）傾斜角センサー（８）の出力信号を映像信号処理回路（９）によって直線（１３）      や目盛り（１２）上のマーク（１４）を液晶モニタ（３）に表示する。
撮影者は電源スイッチ（５）を入れると液晶モニタ（３）に被写体の映像が表示される。
撮影モード設定ボタン（７）によって傾斜角表示モードに設定すると液晶モニタ（３）に傾斜角０度を示すマーク（１１）や目盛り（１２）を上書き表示する。
デジタルカメラがあらかじめ設定された角度以上に傾くと傾斜角θを示す直線（１３）や目盛り上にマーク（１４）を被写体の映像に上書き表示する。
撮影者はその表示が消えるようにデジタルカメラを保持すれば、斜めの映像を撮影することがなく正常な映像を撮影する事ができる。
【図面の簡単な説明】
【０００８】
【図１】デジタルカメラ本体を背面から見た斜視図である。
【図２】機器構成図である。液晶モニタはデジタルカメラ本体がθで示した角度に傾斜した状態を示す。
【符号の説明】
【０００９】    １  デジタルカメラ本体
２  鏡胴
３  液晶モニタ
４  シャッターボタン
５  電源スイッチ
６  十字キー
７  撮影モード設定ボタン
８  傾斜角センサー（外付けの場合を示す）
９  映像信号処理回路
１０  映像信号入力線
１１  傾斜角０度を示すマーク
１２  目盛り
１３  デジタルカメラ本体の傾斜角θを示す直線
１４  デジタルカメラ本体の傾斜角度を示すマーク
１５  デジタルカメラ本体の傾斜角度
【図１】
2010102280.tif 000003
【図２】
2010102280.tif 000004
(57)【要約】【課題】本発明が解決しようとする問題点は、陸上であれ水中であれ、ストロボ本体を手で鷲掴みしてもしっかりと掴め、例えストロボ本体の表面に油が付着していても滑ることなく確実に掴め、従って掌中から落下して内部の電子回路に衝撃による悪影響を与えることの無い安価で、便利な水中ストロボの滑り止めを提供する点にある。【解決手段】本発明は水中で使用される筒型の液密構造で、前方に発光部を備え、後方にモードスイッチ、光量調節ダイアル等人手で操作する操作機能部を有する外付けのストロボであって、該ストロボのストロボ本体の周囲に弾力的で網目状の滑り止めネットを被せてなることを特徴とした水中ストロボの滑り止め。【選択図】図２
2010102133.tif 000002
【特許請求の範囲】
【請求項１】
水中で使用される筒型の液密構造で、前方に発光部を備え、後方にモードスイッチ、光量調節ダイアル等人手で操作する操作機能部を有する外付けのストロボであって、該ストロボのストロボ本体の周囲に弾力的で網目状の滑り止めネットを被せてなることを特徴とした水中ストロボの滑り止め。
【請求項２】
前記滑り止めネットは前記ストロボ本体の外観形状と類似で前後を開口したことを特徴とする請求項１記載の水中ストロボの滑り止め。
【請求項３】
前記滑り止めネットの寸法は前記ストロボ本体の外周より僅かに小さくしてなることを特徴とする請求項１記載の水中ストロボの滑り止め。
【発明の詳細な説明】
【技術分野】
【０００１】
本発明は、水中で用いる所謂外付けストロボを手に持った際、掌中からすべり落ちるのを防止する水中ストロボの滑り止めに関するものである。
【背景技術】
【０００２】
従来、液密の筐体構造で構成される水中ストロボは筒型、或いは円盤型等があるが、水中ストロボは筐体内にバッテリー、マイコン、コンデンサー、電源部、発光管等必要なものが装備されていて、水中でのストロボ機能を働かせている。
【０００３】
この様な水中ストロボはプラスチックなどで筐体が形成されるが、表面が平滑である為に手に持った場合掌中から滑り落ち易く、特に表面に油などが付着していた場合、確実につかむことが難しく、落として大きな衝撃を筐体に与えた場合、内部の電子回路に悪影響を与える結果になるものである。
【０００４】
従って、この点の改良が必要であるが、従来、防護するようなものが無かったのが現状である。特許文献１はカメラのケースを提案しているが、ストロボで特に水中での使用あるいは陸上での使用で手にしっかり持てるようなものは提案されていない。特に油など付いた場合でもしっかり保持できるものは提案されていないものである。
【特許文献１】特開２００７−０２７８６９号公報
【発明の開示】
【発明が解決しようとする課題】
【０００５】
本発明が解決しようとする問題点は、陸上であれ、水中であれ、ストロボ本体を手で鷲掴みにしてもしっかりと掴め、例えストロボ本体の表面に油が付着していても滑ることなく確実に掴め、従って掌中から落下して内部の電子回路に衝撃による悪影響を与えることの無い安価で、便利な水中ストロボの滑り止めを提供する点にある。
【課題を解決するための手段】
【０００６】
本発明の手段は水中で使用される筒型の液密構造で、前方に発光部を備え、後方にモードスイッチ、光量調節ダイアル等人手で操作する操作機能部を有する外付けのストロボであって、該ストロボのストロボ本体の周囲に弾力的で網目状の滑り止めネットを被せてなることを特徴とした水中ストロボの滑り止めである。
【発明の効果】
【０００７】
本発明によれば水中ストロボの滑り止めは弾力性のある、しかもストロボ本体より全体的にやや寸法が小さい滑り止めネットをストロボ本体に被せ、掌中から不用意に落下することを無く、従って、落下の衝撃で内部の電子回路への悪影響を生じることの無い効果がある。
【発明を実施するための最良の形態】
【０００８】
本発明は、ストロボ本体の周囲を滑り止めネットによって弾力的に覆うのでストロボ本体を鷲掴みしても確実に保持できるようになり、くわえて滑り止めネットは弾力的であるからこの滑り止めネット自体がストロボ本体から脱落することもなく、例え油がストロボ本体に付着していても確実に保持できる構造にしたものである。。
【０００９】
以下に、本発明の実施例に係る水中ストロボの滑り止めについて図１乃び図２を参照して詳細に説明する。
【００１０】
図１の１はストロボ本体で主に水中で用いられ、プラスチック製の筐体構造として構成される。２は滑り止めネットで弾力性ある材料例えばゴム等を用い、寸法的には前記ストロボ本体１の外周より全体が小さくできている。前記ストロボ本体１内にはバッテリー、マイコン、コンデンサー、電源部、発光管３、反射鏡４等ストロボとしての必要な従来の
機能を有している。
【００１１】
そして、前方は発光部５を構成し、後方はモードスイッチ、光量調節ダイアルその他の機能を有し操作機能部６を構成している。７はアームナットでストロボ本体１を他に固定する際に用いるストロボ固定ナットが挿入される。
【００１２】
図２は図１の前記滑り止めネット２をA矢印方向からストロボ本体１に被せた状態を示し、これによって、滑り止めネット２はしっかりとストロボ本体１の外周に固定される。つまり、滑り止めネット２は寸法がストロボ本体１の外周より全体が小さいためしっかりと固定いできるものである。
【００１３】
次に滑り止めネット２をストロボ本体１に取り付ける場合、滑り止めネット２の開口側をストロボ本体１の発光部５側からじょじょに被せる、すると滑り止めネット２は寸法がストロボ本体より小さいので更に強制的に引っ張って被せるとしっかりとストロボ本体１に取り付けることができる。この場合滑り止めネットは網目状であるから寸法が弾力的に拡大し取付けに容易で、しかも弾力でしっかり取り付けができるものである。
【００１４】
図２の滑り止めネット２を取り付けた状態で人が鷲掴みしても例えストロボ本体１の表面に油が付着して滑りやすくなっていても確実につかむことができるものである。
即ち、ストロボ本体１は他のものに取り付ける場合に利用されるアームナット７があるからストロボ本体１を持つ時、自然とアームナット７を避けて掴むことになる、この位置が丁度ストロボ本体１の外周になり、従って、これに滑り止めネット２を被せておけば掴んでも滑り止めネット２を上から掴むのでこの滑り止めネットの網目状で滑ることなく確実に掴むことができるものである。従って、従来のように落として内部の電子回路に悪影響となる衝撃も発生しないものである。
【産業上の利用可能性】
【００１５】
本発明の水中ストロボの滑り止めは水中、陸上に無関係に利用できるもので産業上、歓迎されるものである。
【図面の簡単な説明】
【００１６】
【図１】本発明の実施例を説明するための水中ストロボの滑り止めの概略斜視図である。
【図２】本実施例に係るストロボ本体に滑り止めネットを被せた状態の概略指図である。
【符号の説明】
【００１７】
１    ストロボ本体
２    滑り止めネット
３    発光管
４    反射鏡
５    発光部
６    操作機能部
７    アームナット
【図１】
2010102133.tif 000003
【図２】
2010102133.tif 000004